【手続補正書】
【提出日】平成17年9月15日(2005.9.15)
【手続補正１】
【補正対象書類名】明細書
【補正対象項目名】発明の名称
【補正方法】変更
【補正の内容】
【発明の名称】設計支援システム及び設計支援方法
【手続補正２】
【補正対象書類名】明細書
【補正対象項目名】特許請求の範囲
【補正方法】変更
【補正の内容】
【特許請求の範囲】
【請求項１】  設計支援システムにおいて、
設計対象物を特定するための特定手段と、
ノイズの影響に対して注意すべき内容を示す設計注意事項データを記憶する第１の記憶手段と、
前記第１の記憶手段に記憶される前記設計注意事項データの中から、前記特定手段によって特定された前記設計対象物と関係する関連データを検索する第１の検索手段と、
前記第１の検索手段によって検索された関連データを表示するための表示手段と、
前記第１の検索手段によって検索された関連データを出力する第１の出力手段と、
を有することを特徴とする設計支援システム。
【請求項２】  設計支援システムにおいて、
設計対象物を特定するための特定手段と、
ノイズの影響に対して設計すべきではない設計情報を示す設計禁止事項データを記憶する第２の記憶手段と、
前記第２の記憶手段に記憶される前記設計禁止事項データの中から、前記特定手段によって特定された前記設計対象物と関連する関連データを検索する第２の検索手段と、
前記第２の検索手段によって検索された関連データを出力する第２の出力手段と、
を有することを特徴とする設計支援システム。
【請求項３】  さらに、前記設計対象物の設計情報を基礎としたシミュレーションを実行するための手段を有する請求項１又は２に記載の設計支援システム。
【請求項４】  前記シミュレーションは、ＥＭＣ試験を模擬したシミュレーションである請求項３に記載の設計支援システム。
【請求項５】  前記設計禁止事項データは、図形データ、文字データ、及び数値データの少なくとも１つを含む請求項２に記載の設計支援システム。
【請求項６】  前記第２の出力手段は、前記第２の検索手段によって検索されたデータに対応する前記設計対象物の設計情報上の該当箇所を設計禁止として表示する請求項２に記載の設計支援システム。
【請求項７】  設計支援方法において、
設計対象物を特定するステップと、
ノイズの影響に対して注意すべき内容を示す設計注意事項データの中から、前記特定された設計対象物と関連する関連データを検索するステップと、
前記検索された関連データを出力するステップと、
を有することを特徴とする設計支援方法。
【請求項８】  設計支援方法において、
設計対象物を特定するステップと、
ノイズの影響に対して設計すべきでない設計情報を示す設計禁止事項データの中から、前記特定された設計対象物と関連する関連データを検索するステップと、
前記検索された関連データを出力するステップと、
を有することを特徴とする設計支援方法。
【手続補正３】
【補正対象書類名】明細書
【補正対象項目名】０００１
【補正方法】変更
【補正の内容】
【０００１】
【発明の属する技術分野】
本発明は、設計支援システム及び設計支援方法に関するものである。
【手続補正４】
【補正対象書類名】明細書
【補正対象項目名】０００７
【補正方法】変更
【補正の内容】
【０００７】
【発明が解決しようとする課題】
本発明の目的は、要求されるＥＭＣ性能を満足するようにプリント基板等を設計するための新たな設計支援システム及び設計支援方法を提供しようとするものである。
また、本発明の目的は、過去の不具合事項を参照しながら、プリント基板等を設計するための新たな設計支援システム及び設計支援方法を提供しようとするものである。
【手続補正５】
【補正対象書類名】明細書
【補正対象項目名】０００８
【補正方法】変更
【補正の内容】
【０００８】
さらに、本発明の目的は、設計禁止事項の自動照合を行いながら、プリント基板等を設計するための新たな設計支援システム及び設計支援方法を提供しようとするものである。
さらなる本発明の目的は、プリント基板等の試作品を作成する前にノイズ・シミュレーションを行うことができる、プリント基板等を設計するための新たな設計支援システム及び設計支援方法を提供しようとするものである。
【手続補正６】
【補正対象書類名】明細書
【補正対象項目名】０００９
【補正方法】変更
【補正の内容】
【０００９】
さらなる本発明の目的は、過去の不具合事項の参照、設計禁止事項の自動照合及びノイズ・シミュレーションを適宜相互に行いながら、プリント基板等を設計するための新たな設計支援システム及び設計支援方法を提供しようとするものである。
【手続補正７】
【補正対象書類名】明細書
【補正対象項目名】００１０
【補正方法】変更
【補正の内容】
【００１０】
【課題を解決するための手段】
上記課題を解決するために、本発明に係る設計支援システムは、設計対象物を特定するための特定手段と、ノイズの影響に対して注意すべき内容を示す設計注意事項データを記憶する第１の記憶手段と、第１の記憶手段に記憶される設計注意事項データの中から、特定手段によって特定された設計対象物と関係する関連データを検索する第１の検索手段と、第１の検索手段によって検索された関連データを表示するための表示手段と、第１の検索手段によって検索された関連データを出力する第１の出力手段を有することを特徴とする。
【手続補正８】
【補正対象書類名】明細書
【補正対象項目名】００１１
【補正方法】変更
【補正の内容】
【００１１】
また、上記課題を解決するために、本発明に係る設計支援システムは、設計対象物を特定するための特定手段と、ノイズの影響に対して設計すべきではない設計情報を示す設計禁止事項データを記憶する第２の記憶手段と、第２の記憶手段に記憶される設計禁止事項データの中から、特定手段によって特定された設計対象物と関連する関連データを検索する第２の検索手段と、第２の検索手段によって検索された関連データを出力する第２の出力手段を有することを特徴とする。
【手続補正９】
【補正対象書類名】明細書
【補正対象項目名】００１２
【補正方法】変更
【補正の内容】
【００１２】
さらに、本発明に係る設計支援システムでは、設計対象物の設計情報を基礎としたシミュレーションを実行するための手段を有し、シミュレーションは、ＥＭＣ試験を模擬したシミュレーションであることが好ましい。
さらに、本発明に係る設計支援システムでは、設計禁止事項データは、図形データ、文字データ、及び数値データの少なくとも１つを含むことが好ましい。
さらに、本発明に係る設計支援システムでは、第２の検索手段は、設計対象物の設計情報と第２の記憶手段に記憶されている図形データ、文字データ及び数値データの少なくとも１つとが一致するデータを検索することが好ましい。
【手続補正１０】
【補正対象書類名】明細書
【補正対象項目名】００１３
【補正方法】変更
【補正の内容】
【００１３】
さらに、本発明に係る設計支援システムでは、第２の出力手段は、第２の検索手段によって検索されたデータに対応する設計対象物の設計情報上の該当箇所を設計禁止として表示し、該当箇所は、警報とともに表示されることが好ましい。
また、上記課題を解決するために、本発明に係る設計支援方法は、設計対象物を特定するステップと、ノイズの影響に対して注意すべき内容を示す設計注意事項データの中から、特定された設計対象物と関連する関連データを検索するステップと、検索された関連データを出力するステップを有することを特徴とする。
また、上記課題を解決するために、本発明に係る設計支援方法は、設計対象物を特定するステップと、ノイズの影響に対して設計すべきでない設計情報を示す設計禁止事項データの中から、特定された設計対象物と関連する関連データを検索するステップと、検索された関連データを出力するステップを有することを特徴とする。